(57)【特許請求の範囲】
【請求項１】
リースされた所定の形状、寸法のブロック用型枠を構築現場に搬入し、所要段数組み上げた前記ブロック用型枠にコンクリートを打設して護岸擁壁を構築する護岸擁壁リース型枠工法において、
上記ブロック用型枠は、表面型枠、背面型枠及び中型枠にて構成され、該表面型枠における横端縁部にはリブ状組付部が折曲形成されてなるとともに、複数のブロック用型枠の組み上げ時、隣接する該リブ状組付部を対設させ、対設状態で上記表面型枠を固定接合させることを特徴とする護岸擁壁リース型枠工法。
【請求項２】
上記ブロック用型枠は、適宜個数毎の組み上げとコンクリート硬化後の脱型とを繰り返して上記護岸擁壁を構築することを特徴とする請求項１記載の護岸擁壁リース型枠工法。
【請求項３】
上記ブロック用型枠は、護岸擁壁用としては大型に属するブロックを成形するものであることを特徴とする請求項１又は２記載の護岸擁壁リース型枠工法。
【請求項４】
上記ブロック用型枠は、補強材により補強してパネル方式で組み上げられることを特徴とする請求項１，２又は３記載の護岸擁壁リース型枠工法。
【請求項５】
上記ブロック用型枠は、上記護岸擁壁を構築する現地の施工業者からリースされることを特徴とする請求項１，２，３又は４記載の護岸擁壁リース型枠工法。
【請求項６】
上記ブロック用型枠は、上記護岸擁壁の構築後に上記リースした貸出元に返還され、該貸出元において必要な補修が施されて再使用されることを特徴とする請求項１，２，３，４又は５記載の護岸擁壁リース型枠工法。
【請求項７】
請求項１，２，３，４，５又は６記載の護岸擁壁リース型枠工法によって構築してなることを特徴とする護岸擁壁。
【請求項８】
請求項１，２，３，４，５又は６記載の護岸擁壁リース型枠工法に用いることを特徴とするリース型枠。
【発明の詳細な説明】
【技術分野】
【０００１】
本発明は、護岸擁壁リース型枠工法、それによる護岸擁壁及びそれに用いるリース型枠に関するものであり、特に、地元施工業者の活性化とともに地域産業の発展に寄与し得る護岸擁壁リース型枠工法、それによる護岸擁壁及びそれに用いるリース型枠に関するものである。
【背景技術】
【０００２】
従来、例えば、次のような擁壁用ブロックが知られている。この従来技術は、正面形状が長方形をなす外壁部を備えた擁壁用ブロックにおいて、前記外壁部の周縁部の角部に、外壁面から外壁部の角部を所定の厚さ分切り欠いたコーナー部が設けられている。そして、複数の擁壁用ブロックを谷積みに積み上げて擁壁を構築したとき、隣接する擁壁用ブロックのコーナー部が隣り合った位置において植生等に利用できる凹部が形成されるようにしている。積み上げた前記複数の擁壁用ブロックの裏側にはコンクリートを打設して固定している（例えば、特許文献１参照）。
【０００３】
また、他の従来技術として、例えば、次のようなコンクリート護岸用擁壁が知られている。この従来技術は、いわゆる現場打ちで設置するもので、コンクリート製の護岸用擁壁本体に、その上面から下端部にわたって縦長の空洞部を複数形成するとともに、各空洞部に沿って、その空洞部を擁壁本体の前面側に開放するスリットを設けている。そして、各空洞部に植物や小動物等の生物が生息するのに適した石材と砂を充填し、周囲の自然環境との調和を図っている。
【０００４】
構築に際しては、現場打ちコンクリートの前型枠に、空洞部を形成するための円形紙ボイドと、スリットを形成するための型材を抱き合わせて生コンクリートを打設し、コンクリート硬化後にスリットを形成するための型材を除去して円柱状の空洞部とスリットを形成している（例えば、特許文献２参照）。
【特許文献１】特開２００３−２７５０４号公報（第２〜３頁、図１〜３）。
【特許文献２】特許第３７１６３１９号公報（第２頁、図１）。
【発明の開示】
【発明が解決しようとする課題】
【０００５】
特許文献１に記載の従来技術においては、複数の擁壁用ブロックを谷積みに積み上げ、その裏側にコンクリートを打設して固定している。しかしながら、比較的小さいブロックを数多く積み上げるのは、施工効率がよくない。
【０００６】
一方、特許文献２に記載の従来技術においては、現場で型枠を組み生コンクリートを打設して護岸用擁壁を構築するようにしている。
【０００７】
比較的大型のブロックを現場で打設形成して護岸擁壁を構築すると施工効率がよくなる。ところで、地元の施工業者自らが現場打ちで護岸擁壁の構築、補修が可能となれば、現在政府が目指している地域産業の経済活性化により良くつながるものと考えられる。
【０００８】
そこで、リース型枠により経済性とともに省力化された工法で施工効率よく環境保全型の護岸擁壁を構築し、また地元施工業者の活性化とともに地域産業の発展に貢献するために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、リースされた所定の形状、寸法のブロック用型枠を構築現場に搬入し、所要段数組み上げた前記ブロック用型枠にコンクリートを打設して護岸擁壁を構築する護岸擁壁リース型枠工法において、
上記ブロック用型枠は、表面型枠、背面型枠及び中型枠にて構成され、該表面型枠における横端縁部にはリブ状組付部が折曲形成されてなるとともに、複数のブロック用型枠の組み上げ時、隣接する該リブ状組付部を対設させ、対設状態で上記表面型枠を固定接合させる護岸擁壁リース型枠工法を提供する。
【００１０】
この構成によれば、リースされたブロック用型枠による安定性、安全性に富んだ現場コンクリート打設方式とすることで、高い機能を持つ護岸擁壁が経済性よく構築され、且つ、生態系にとっても周囲の景観にとっても高い機能を有する。
【００１１】
請求項２記載の発明は、上記ブロック用型枠は、適宜個数毎の組み上げとコンクリート硬化後の脱型とを繰り返して上記護岸擁壁を構築する護岸擁壁リース型枠工法を提供する。
【００１２】
この構成によれば、ブロック用型枠は、例えば１〜３段程度組み上げられてコンクリートの打設が行われ、養生、硬化後に脱型される。この組み上げと脱型の繰り返しにより所定の形状、高さの護岸擁壁が構築される。
【００１３】
請求項３記載の発明は、上記ブロック用型枠は、護岸擁壁用としては大型に属するブロックを成形するものである護岸擁壁リース型枠工法を提供する。
【００１４】
この構成によれば、コンクリートの大型ブロックを構築現場で打設形成することで、プレキャストされた大型ブロックの搬送及び現場での重機の使用等が不要となって、省力化とともに施工効率よく護岸擁壁が構築される。
【００１５】
請求項４記載の発明は、上記ブロック用型枠は、補強材により補強してパネル方式で組み上げる護岸擁壁リース型枠工法を提供する。
【００１６】
この構成によれば、リースされたブロック用型枠の構築現場への搬入が容易となり、且つ、パネル方式のブロック用型枠は、形状が保たれるように必要に応じて鉄筋等の補強材により補強して組み上げられる。
【００２１】
請求項５記載の発明は、上記ブロック用型枠は、上記護岸擁壁を構築する現地の施工業者からリースされる請求項１，２，３又は４記載の護岸擁壁リース型枠工法を提供する。
【００２２】
この構成によれば、地元の施工業者が自ら護岸擁壁の構築、補修等を行うことができて、地元施工業者の活性化及び地域産業への貢献が図られる。
【００２３】
請求項６記載の発明は、上記ブロック用型枠は、上記護岸擁壁の構築後に上記リースした貸出元に返還され、該貸出元において必要な補修が施されて再使用される請求項１，２，３，４又は５記載の護岸擁壁リース型枠工法を提供する。
【００２４】
この構成によれば、護岸擁壁の構築に際して経済性がより良く達成される。
【００２５】
請求項７記載の発明は、請求項１，２，３，４，５又は６記載の護岸擁壁リース型枠工法によって構築してなる護岸擁壁を提供する。
【００２６】
この構成によれば、リース型枠により現場で打設形成された大型ブロックで構築され且つ、空洞部には現地発生の胴込め土砂が内在されていることで、高い護岸機能を有するとともに現地の自然環境を適切に保全し得る護岸擁壁が実現される。
【００２７】
請求項８記載の発明は、請求項１，２，３，４，５又は６記載の護岸擁壁リース型枠工法に用いるリース型枠を提供する。
【００２８】
この構成によれば、地元の施工業者にリースされて現場で大型ブロックを打設形成することができて、経済性とともに良好な施工効率で護岸擁壁を構築することが可能となる。
【発明の効果】
【００２９】
請求項１記載の発明は、リースされた所定の形状、寸法のブロック用型枠を構築現場に搬入し、所要段数組み上げた前記ブロック用型枠にコンクリートを打設して護岸擁壁を構築するようにしたので、リースされたブロック用型枠による現場コンクリート打設方式としたことで、護岸擁壁を経済性よく構築することができるという利点がある。
【００３０】
請求項２記載の発明は、上記ブロック用型枠は、適宜個数毎の組み上げとコンクリート硬化後の脱型とを繰り返して上記護岸擁壁を構築するようにしたので、リースされて現場に搬入したブロック用型枠の組み上げと脱型の繰り返しにより所定の形状、高さの護岸擁壁を構築することができるという利点がある。
【００３１】
請求項３記載の発明は、上記ブロック用型枠は、護岸擁壁用としては大型に属するブロックを成形するものであるので、コンクリートの大型ブロックを構築現場で打設形成することができて、省力化とともに施工効率よく護岸擁壁を構築することができるという利点がある。
【００３２】
請求項４記載の発明は、上記ブロック用型枠は、補強材により補強してパネル方式で組み上げるようにしたので、ブロック用型枠を構築現場へ容易に搬入することができ、且つ、上記ブロック用型枠は、補強材により補強して組み上げられるようにしたので、パネル方式によるブロック用型枠を、所要形状に確実に組み上げることができるという利点がある。
【００３５】
請求項５記載の発明は、上記ブロック用型枠は、上記護岸擁壁を構築する現地の施工業者を通じてリースを受けるようにしたので、地元施工業者の活性化ともに地域産業の発展に貢献することができるという利点がある。
【００３６】
請求項６記載の発明は、上記ブロック用型枠は、上記護岸擁壁の構築後に上記リースした貸出元に返還され、該貸出元において必要な補修が施されて再使用されるようにしたので、リースされるブロック用型枠は、貸出元において必要な補修が施されて再使用に供されることから、経済性をより良く達成することができるという利点がある。
【００３７】
請求項７記載の発明は、請求項１，２，３，４，５又は６記載の護岸擁壁リース型枠工法によって構築してなる護岸擁壁としたので、適正な護岸機能を有するとともに現地の自然環境を適切に保全し得る護岸擁壁を実現することができるという利点がある。
【００３８】
請求項８記載の発明は、請求項１，２，３，４，５又は６記載の護岸擁壁リース型枠工法に用いるリース型枠としたので、該リース型枠は、地元の施工業者を通じてリースに供されて現場で大型ブロックを打設形成することができ、且つ、貸出元において必要な補修が施されて再使用に供されることから、経済性とともに良好な施工効率での護岸擁壁の構築に寄与し得るという利点がある。
【発明を実施するための最良の形態】
【００３９】
リース型枠により経済性とともに省力化された工法で施工効率よく環境保全型の護岸擁壁を構築し、また地元施工業者の活性化とともに地域産業の発展に貢献するという目的を、現地の施工業者にリースされた所定の形状、寸法のブロック用型枠を構築現場に搬入し、所要段数組み上げた前記ブロック用型枠にコンクリートを打設して護岸擁壁を構築することにより実現した。
【実施例１】
【００４０】
以下、本発明の実施例に係る護岸擁壁リース型枠工法、それによる護岸擁壁及びそれに用いるリース型枠を図面に従って詳述する。図１は護岸擁壁の正面図、図２はブロック用型枠を組み上げコンクリートを打設して護岸擁壁を構築した状態を示す平面図、図３は図２のＸ−Ｘ線断面に相当する護岸擁壁の側面断面図、図４は図２のＹ−Ｙ線断面に相当する護岸擁壁の側面断面図である。
【００４１】
図２において、本実施例に係るブロック用型枠（リース型枠）１は、貸出元から現地の施工業者にリースされて構築現場に搬入され、該施工業者自らが、その必要個数を組み上げて図１に示すような護岸擁壁２の構築、補修を行うように構成されている。該ブロック用型枠１は、パネル方式が採用され、主として表面型枠１Ａ、背面型枠１Ｂ及び中型枠１Ｃにより構成されている。
【００４２】
前記表面型枠１Ａは、例えば、横（図２中のｄ）１ｍ、縦０．５ｍ程度で表面積が０．５〜１．０ｍ2程度の大きさからなり、該ブロック用型枠１は、１個で護岸擁壁用としては大型に属するコンクリートのブロック３（図１参照）を成形するものである。該表面型枠１Ａにおける横端縁部には、リブ状組付部１ａが折曲形成されており、護岸擁壁２の構築時に複数のブロック用型枠１を組み上げるとき、隣り合う表面型枠１Ａにおける各リブ状組付部１ａを対接させ、この対接状態にあるリブ状組付部１ａ同士を図示しないボルト又はクリップで固定することにより隣り合う表面型枠１Ａが接合される。また、表面型枠１Ａの所要部位には、環境用の空洞部３ａに通じる開口部３ｂ（図１、４参照）を形成するための適宜の手段が講じられている。
【００４３】
前記背面型枠１Ｂも、複数のブロック用型枠１を組み上げるとき、上記と同様のリブ状組付部とボルト又はクリップとを用いた固定手段等により、隣り合う背面型枠１Ｂが接合される。前記中型枠１Ｃは、成形されるコンクリートブロックの後部側に前記空洞部３ａを確保するために用いられる。
【００４４】
次に、上述のブロック用型枠１を用いた護岸擁壁２の構築を説明する。ブロック用型枠１は、表面型枠１Ａ、背面型枠１Ｂ及び中型枠１Ｃ等の各構成体のままで構築現場に搬入され、地元の施工業者により組み上げられてコンクリートの打設が行われる。
【００４５】
図３等に示すように、構築位置にまず砕石等の突固めにより所要範囲にわたって基礎工４が施され、その上に図示しない適宜の型枠が立てられて基礎コンクリート５が打設形成される。ブロック用型枠１は、該基礎コンクリート５上に、例えば横方向には３〜１０列、縦方向には１〜３段程度が組み上げられる。この複数個のブロック用型枠１の組み上げ作業に並行して、組み上げ形状及び打設後のコンクリート形状が適正且つ、強固に保たれるように、必要に応じて複数の鉄筋６及びフープ筋７等の補強材による補強が行われる（図２参照）。
【００４６】
複数個のブロック用型枠１の組み上げ後、図示しないコンクリートミキサー車によるコンクリートの打設が行われ、養生、硬化後に表面型枠１Ａ、背面型枠１Ｂ及び中型枠１Ｃ等が脱型される。この適宜の複数個ずつのブロック用型枠１の組み上げと脱型の繰り返しにより所定の形状、高さの護岸擁壁２が構築される。このとき、表面型枠１Ａを化粧型枠とすることで護岸擁壁２の表面に景観を配慮した石目模様等をつけることもできる。また、天端には天端コンクリート８が打設される。
【００４７】
なお、構築される護岸擁壁２の形状、高さ等によっては、該形状、高さに対応した個数のブロック用型枠１を一度で組み上げ、一挙にコンクリートを打設して護岸擁壁２を構築することもできる。
【００４８】
護岸擁壁２の構築後は、各ブロック３の後部側に確保された空洞部３ａに現地発生の胴込め土砂９（図４参照）を内在させることで、図５に示すように、開口部３ｂから現地本来の植生１０を繁茂させることができて環境保全型の護岸擁壁２を実現することができる。また、前記胴込め土砂９には、構築された護岸擁壁２における背面側の土質条件もしくは擁壁安定条件に応じてコンクリートを含む部材を混在させ、壁体重量を調整することで該護岸擁壁２における土止め等の擁壁機能を適切に発揮させることができる。
【００４９】
図３及び図４等に示すように、根入部及び水中部に当る根入部ブロック３Ａ及び水中部ブロック３Ｂは、前記石目模様及び植生の繁茂等は不要であり、コンクリートのみの構造となっている。これにより、安定性のある護岸擁壁２の構築が可能である。
【００５０】
現地の施工業者にリースされた前記ブロック用型枠１は、護岸擁壁２の構築後にリースした貸出元に返還され、該貸出元において必要な補修が施されて再使用に供される。これにより、護岸擁壁２の構築に際して経済性がより良く達成される。
【００５１】
上述したように、本実施例に係る護岸擁壁リース型枠工法、それによる護岸擁壁及びそれに用いるリース型枠においては、リースされたブロック用型枠１によりコンクリートの大型ブロックを現場で打設形成することができて、経済性とともに省力化された工法で施工効率よく護岸擁壁２を構築することができる。
【００５２】
ブロック用型枠１が現地の施工業者にリースされて、該地元の施工業者自らが護岸擁壁２の構築、補修を行うようにしたことで、地元施工業者の活性化ともに地域産業の発展に寄与することができる。
【００５３】
ブロック用型枠１をパネル方式としたことで該ブロック用型枠１を構築現場へ容易に搬入することができる。
【００５４】
ブロック３の空洞部３ａに現地発生の胴込め土砂９を内在させ、開口部３ｂから現地本来の植生１０を繁茂させるようにしたことで、環境保全型の護岸擁壁２を実現することができる。
【００５５】
胴込め土砂９には、護岸擁壁２における背面の土質条件もしくは擁壁安定条件に応じてコンクリートを含む部材を混在させたことで、壁体重量を適正に調整することができて、十分な擁壁機能を有する護岸擁壁２とすることができる。
【００５６】
ブロック用型枠１は、護岸擁壁２の構築後に貸出元に返還し、該貸出元において必要な補修を施して再使用するようにしたことで、経済性をより良く達成することができる。
【００５７】
なお、本発明は、本発明の精神を逸脱しない限り種々の改変をなすことができ、そして、本発明が該改変されたものにも及ぶことは当然である。
【図面の簡単な説明】
【００５８】
図は本発明の実施例に係る護岸擁壁リース型枠工法、それによる護岸擁壁及びそれに用いるリース型枠を示すものである。
【図１】護岸擁壁の正面図。
【図２】ブロック用型枠を組み上げコンクリートを打設して護岸擁壁を構築した状態を示す平面図。
【図３】図２のＸ−Ｘ線断面に相当する護岸擁壁の側面断面図。
【図４】図２のＹ−Ｙ線断面に相当する護岸擁壁の側面断面図。
【図５】護岸擁壁における開口部から植物が成長した状態を示す図。
【符号の説明】
【００５９】
１      ブロック用型枠（リースにて地元業者を通じ供される型枠）
１Ａ    表面型枠
１Ｂ    背面型枠
１Ｃ    中型枠
１ａ    リブ状組付部
２      護岸擁壁
３      ブロック
３ａ    空洞部
３ｂ    開口部
４      基礎工
５      基礎コンクリート
６      鉄筋（補強材）
７      フープ筋（補強材）
８      天端コンクリート
９      胴込め土砂
１０    植生
【図１】
0004676481.tif 000002
【図２】
0004676481.tif 000003
【図３】
0004676481.tif 000004
【図４】
0004676481.tif 000005
【図５】
0004676481.tif 000006